(57)【要約】【課題】  小型化を可能にする。【解決手段】  開閉検知スイッチ４０は、画像表示部３８の開閉を検知する。ヒンジ機構６０は、画像表示部３８を２軸回転可能に本体に結合する。ヒンジ上カバー９０とヒンジ下カバー９２が、ヒンジ機構６０を覆う。ヒンジ下カバー９２に突起９２ａを設ける。突起９２ａは、ヒンジ機構６０の回動軸方向の投影の中に配置される。画像表示部３８の開閉に際して、突起９２ａが、開閉検知スイッチ４０に作用して、開閉検知スイッチ４０をオン又はオフにする。【選択図】  図８
2009147857.tif 000002
【特許請求の範囲】
【請求項１】
本体に可動機構を介して結合される画像表示部と、
前記本体に対する前記画像表示部の開閉を検知する開閉検知スイッチと、
前記可動機構の少なくとも一部を覆うカバー
とを具備し、
前記カバーは、前記可動機構の回動軸方向の投影の中に配置される突起であって、前記画像表示部の開閉に応じて前記開閉検知スイッチと係合する突起を有する
ことを特徴とする撮像装置。
【発明の詳細な説明】
【技術分野】
【０００１】
本発明は、本体に対して画像表示部が可動機構で可動に結合される撮像装置に関する。
【背景技術】
【０００２】
ビデオカメラの多くは、本体に対して可動機構を介して画像表示部を連結した構造をとる。可動機構として２軸ヒンジ機構を採用した場合、画像表示部を本体に密着させる状態では、表示画面を内側に向ける位置と、外側に向ける位置を選択できる。また、本体から引き出した状態では、背面方向に表示画面を向ける位置と、被写体方向に表示画面を向ける位置を選択できる。
【０００３】
このように本体に対して２軸回転可能な画像表示部を装備する場合、その表示画面がどちらを向いているかを検知する手段が必要になり、種々の構成が提案されている。
【０００４】
特許文献１には、本体と画像表示部を接続するハーネスを隠蔽するハーネスカバーの動きを利用して、本体に対する画像表示部の相対位置を検知する構成が記載されている。
【０００５】
特許文献１に示される構成では、ハーネスカバーの動きを利用して画像表示部の相対位置を検知する。そのため、可動機構の移動軌跡を邪魔しないような位置にハーネスカバーを設置して、その下に開閉検知スイッチを設置する必要があり、モニタ面に対してほぼ垂直方向の厚みが厚くなる。また、可動機構の動きに伴いハーネスカバーが動く必要があるので、バネ等が必要になり、部品点数が増加し、組立も困難になる。
【０００６】
また、ハーネスカバーを除去した構成も知られている。可動機構として２軸ヒンジ機構を使用する撮像装置では、ヒンジ機構を覆うヒンジカバーにより本体に対する画像表示部の相対位置を検知する。画像表示部を開いたときに、可動機構を覆うカバーが、外観を覆うカバーの隙間にはまり、内部が見え難いようになっている。
【０００７】
図１３乃至図１６は、ヒンジ機構により画像表示部を本体に開閉及び回転可能に連結する撮像装置のヒンジ機構部分を示す。図１３は、画像表示部１１２を本体１１０に対して開いた状態（展開状態）を示す。図１４は、ヒンジカバー１１６の外観斜視図を示す。図１５は、画像表示部１１２の開閉軸に垂直な面内の平面図であって、画像表示部１１２を閉じた状態（収納状態）を示す。図１６は、画像表示部１１２の開閉軸に垂直な面内の平面図であって、画像表示部１１２を開いた状態を示す。
【０００８】
画像表示部１１２を本体１１０にヒンジを介して結合し、本体１１２に対して開閉可能である。ヒンジ１１４はヒンジカバー１１６内に収容される。画像表示部１１２が本体１１０に対して開閉動作する際に、ヒンジカバー１１６は、画像表示部１１２に連れて本体１１０に対して移動する。図１４に示すように、ヒンジカバー１１６は外面に突出部１１６ａを具備する。突出部１１６ａが開閉検知スイッチ１１８を操作することによって、画像表示部１１２の開閉状態を検知できる。本体１１０の外装カバー１２０には、ヒンジカバー１１６の突出部１１６ａの軌跡を避ける切り欠き部１２０ａを形成してある。
【０００９】
この構成では、本体１１０に対して画像表示部１１２を開いた状態では、図１６に示すように、ヒンジ１１４を覆うヒンジカバー１１６の突出部１１６ａが外部に露出し、外観上の美観を損なう。開閉検知スイッチ１１８は簡単なオン／オフスイッチであり、突出部１１６ａが開閉検知スイッチ１１８を押している場合（図１５）と、突出部１１６ａが開閉検知スイッチ１１８から離れている場合（図１６）の２つの場合を区別できる。
【００１０】
ヒンジカバー１１６の下に開閉検知スイッチ１１８を配置するので、ヒンジカバー１１６の厚みと開閉検知スイッチ１１８の厚みをあわせた厚みが必要となる。画像表示部１１２を閉じた状態で、図１５に示すｔ方向の厚みが必要となり、大きなスペースを要する。また、画像表示部１１２を開いた状態では、外装カバー１２０の切り欠き部１２０ａに対し、ヒンジカバー１１６との間に隙間ができる。この隙間から内部のスイッチ１１８が見え、外観上の美観を損なう上、この隙間から本体内に埃が進入しやすい。
【００１１】
図１７乃至図２０は、ヒンジ機構を使用する別の構成の構成図を示す。図１７は、画像表示部２１２を本体２１０に対して開いた状態を示す。図１８は、ヒンジカバー２１４の外観斜視図を示す。図１９は、画像表示部２１２の開閉軸に垂直な面内の平面図であって、画像表示部２１２を閉じた状態を示す。図２０は、画像表示部２１２の開閉軸に垂直な面内の平面図であって、画像表示部２１２を開いた状態を示す。
【００１２】
画像表示部２１２が、ヒンジ２２０を介して、本体２１０に対して開閉可能である。ヒンジ２２０はヒンジカバー２１４に覆われている。画像表示部２１２が本体２１０に対して開閉動作する際に、ヒンジカバー２１４は、画像表示部２１２に連れて本体２１０に対して移動する。ヒンジカバー２１４が開閉検知スイッチ２１８を操作することによって、画像表示部２１２の開閉状態を検知できる。ヒンジカバー２１４の外面には、図１９に示す位置と図２０に示す位置との間で、外装カバー２１６に密接する円形部２１４ａを設けてある。即ち、画像表示部２１２が、図１９に示す位置から、図２０に示す位置までのどの位置にあっても、ヒンジカバー２１４の円形部２１４ａが外装カバー２１６に密接する。これにより、ヒンジカバー２１４と外装カバー２１６との間の隙間を最小にでき、中身を見えない又は見えにくくする。
【００１３】
ヒンジカバー２１４の外形を使って開閉検知スイッチ２１８のオン／オフを切り替える。開閉検知スイッチ２１８は簡単なオン／オフスイッチである。ヒンジカバー２１４が開閉検知スイッチ２１８を押している場合（図１９）と、ヒンジカバー２１４が開閉検知スイッチ２１８から離れている場合（図２０）の２つの場合を区別できる。
【００１４】
画像表示部２１２が開いた状態で、内部が見えないためには、ヒンジカバーの円形部２１４ａの先端が、外装カバー２１６より内側に位置しなければならない。この条件を満たすため、円形部２１４ａのサイズが、ヒンジ２２０の開閉支軸２２０ａの位置と外装カバー２１６の先端位置により制約される。換言すると、本体２１０に対する画像表示部２１２の開閉の検知位置が、ヒンジ２２０の開閉支軸２２０ａの位置と外装カバー２１６の先端位置により決定されることになり、検知角度を自由には設定できない。
【特許文献１】特開２００１−５３９８７号公報
【発明の開示】
【発明が解決しようとする課題】
【００１５】
可動機構を覆うために設けられたカバーで、二つの筐体の相対位置を検知する方法では、可動機構にあらかじめカバーを取り付けた状態で、可動機構を組み付ければよいため、組み立てが容易である。しかし、これらの構成では、セット全体が大きくなる、見た目が美しくないなどの問題がある。
【００１６】
また、図１７乃至図２０に示す構成の従来例では、検知角度を自由に決定できず、製品設計上、著しく不利である。画像表示部が開いたことを検知してから画像信号を画像表示部に供給するまでの処理にかかる時間は、画像処理装置構成によって異なるからである。
【００１７】
更には、図１３乃至図２０に示す従来例では、画像表示部の表示面に対して垂直方向の厚みｔが厚くなるという問題点がある。
【００１８】
本発明は、このような不都合を解消する撮像装置を提示することを目的とする。
【課題を解決するための手段】
【００１９】
本発明に係る撮像装置は、本体に可動機構を介して結合される画像表示部と、前記本体に対する前記画像表示部の開閉を検知する開閉検知スイッチと、前記可動機構の少なくとも一部を覆うカバーとを具備し、前記カバーは、前記可動機構の回動軸方向の投影の中に配置される突出部であって、前記画像表示部の開閉に応じて前記開閉検知スイッチと係合する突出部を有することを特徴とする。
【発明の効果】
【００２０】
本発明によれば、前記画像表示部の開閉に応じて前記開閉検知スイッチと係合する突出部を、可動機構を覆うカバーの所定位置に配置することで、省スペースを実現し、本体の小型化を可能にする。突出部をカバーと一体としたので、部品点数が少なくなる。突出部の形状により、検知角度を容易に変更できる。突出部をカバーの回動軸方向の投影の中に配置することで、画像表示部の開閉動作において、開閉検知スイッチが外観に露出することがない。外観に突起形状が出ることがなく、美しい外観を保てる。隙間が少ない構成となるので、本体内部への埃の進入を軽減でき、防塵性にも優れ、信頼性が向上する。
【発明を実施するための最良の形態】
【００２１】
以下、図面を参照して、本発明の実施例を詳細に説明する。
【実施例１】
【００２２】
図１は、本発明に係る撮像装置の一実施例であるビデオカメラの機能ブロック図を示す。図２は、本実施例の画像表示部を閉じた状態（収納状態又は収納位置）で、後方（撮影者側）左側から見た外観斜視図を示す。図３は、画像表示部を開いた状態（展開状態又は展開位置）で、後方（撮影者側）左側から見た外観斜視図を示す。
【００２３】
本実施例の構成と基本動作を説明する。撮影者は、操作部１２により動作モードをＣＰＵ１４に指示する。
【００２４】
記録モード（又はカメラモード）では、撮影レンズ１６は、フォーカス及びズーム等の光学制御系を含む光学レンズ群及び絞りからなる。撮像素子１８は、撮影レンズ１６による光学像を電気画像信号に変換し、当該画像信号をカメラ信号処理装置２０に出力する。カメラ信号処理装置２０は、撮像素子１８からのアナログ画像信号をデジタル画像信号に変換する。その際、カメラ信号処理装置２０は、画像信号に色分離、階調補正及びホワイトバランス調整などのデジタルカメラ又はデジタルビデオカメラで公知のカメラ信号処理を施す。音声信号処理装置２２は、マイクロフォン２４により取り込まれた音声信号を所定レベルにゲインコントロールし、デジタル化する。
【００２５】
撮影者の記録開始の操作に応じて、圧縮伸長装置２６は、カメラ信号処理装置２０からの画像データ及び音声信号処理装置２２からの音声データを所定の圧縮符号化方式により圧縮符号化する。記録再生処理装置２８は、圧縮伸長装置２６で圧縮符号化された画像データにエラー訂正符号化処理及び変調処理等を施し、更に同期コード及びＩＤなどを付加し、記録に適した形態に変換する。このように記録再生処理装置２８により生成されたデータは、大容量の内部メモリ３０、又は着脱自在なメモリカード３２に記録される。メモリカード３２は、フラッシュメモリ等の不揮発性固体メモリを内蔵する着脱自在な記憶デバイスである。撮影者は、メモリ３２，３０のどちらを記録先にするかを予め指定する。カード制御装置３６は、着脱自在のメモリカード３２へのデータ書き込みと読み出しを制御する。内部メモリ制御装置３４は、内部メモリ３０へのデータ書き込みと読み出しを制御する。
【００２６】
画像表示部３８は、可動機構であるヒンジ機構６０により本体１０に対して開閉可能及び回動可能に結合されている。画像表示部３８は、撮影スタンバイ中の画像、録画中の画像及び再生画像を表示する。画像表示部３８は、必要に応じて、ビデオカメラ本体１０の動作状況をオンスクリーン・ディスプレイ情報として表示し、種々の設定画面を表示する。画像表示部３８は、本体１０に対して開閉可能で回動可能に本体１０に取り付けられている。開閉検知スイッチ４０は画像表示部３８が本体１０に密着した収納位置にあるか、開かれた展開位置にあるかを検知する。例えば、開閉検知スイッチ４０は、画像表示部３８が展開位置にある場合にオフ、収納位置にある場合にはオンとなる。ＣＰＵ１４は、画像表示部３８が展開されている場合（スイッチ４０がオフの場合）には、画像表示部３８に画像を表示し、収納されている場合（スイッチ４０がオンの場合）には、画像表示部３８に画像を表示させない。画像表示部３８が反転されて収納されている反転収納状態では、即ち表示画面を外向きにして本体１０に収納されている場合には、画像を表示する。
【００２７】
再生モードの動作を説明する。撮影者は、操作部１２により再生モードをＣＰＵ１４に指示する。記録再生処理装置２８は、内部メモリ３０とメモリカード３２の指定された方から記録データを読み出し、エラーを訂正し、復調する。圧縮伸長装置２６は、記録再生処理装置２８より再生された圧縮データを伸長し、画像データ及び音声データを復元する。画像表示部３８は、圧縮伸長装置２６で復元された再生画像データを画像表示する。
【００２８】
また、本実施例では、デジタルインターフェース（Ｉ／Ｆ）４２に接続する外部装置４４から画像音声データを取り込むことができる。デジタルＩ／Ｆ４２は、例えばＩＥＥＥ１３９４やＵＳＢ等の規格に準拠する。使用者は、操作部１２によりデジタルＩ／Ｆ４２に接続する外部装置４４からの取り込みをＣＰＵ１４に指示する。この指示に応じて、ＣＰＵ１４は、デジタルＩ／Ｆ４２を介して外部装置４４から画像データ及び／又は音声データをデジタル信号の状態で取り込み、記録再生処理装置２８に供給する。ここでは、外部装置４４からの画像データ及び音声データは、既に圧縮符号化されているものとする。記録再生処理装置２８は、外部装置４４からのデータに前述した記録処理を施し、内部メモリ３０又はメモリカード３２に記録する。
【００２９】
本実施例はまた、入出力装置４６に接続する外部装置４８から画像音声データを取り込むことができる。使用者は、操作部１２により入出力装置４６に接続する外部装置４８からの取り込みをＣＰＵ１４に指示する。この指示に応じて、ＣＰＵ１４は入出力装置４６を制御し、外部装置４８から画像信号及び／又は音声信号をデジタル信号に変換させる。デジタル信号に変換された画像信号及び音声信号はメモリ５４に一時格納され、圧縮伸長装置２６により圧縮符号化される。記録再生処理装置２８は、圧縮伸長装置２６により圧縮された画像データ及び／又は音声データに記録処理を施し、内部メモリ３０又はメモリカード３２に記録する。
【００３０】
電源制御装置５０は、バッテリ５２の出力電圧をモニタし、各部に電力を供給する。電源制御装置５０は、バッテリ検出回路、ＤＣ-ＤＣコンバータ、及び、電力供給先のブロックを選択又は切り替えるスイッチ回路等からなり、バッテリ５２の装着の有無、種類及び電池残量を検出する。バッテリ５２は、リチウムイオン電池等であり、本体１０の各部に電力を供給する。
【００３１】
メモリ５４は、プログラム記憶領域とデータ作業領域を有し、バス５８を介して各機能ブロックがタイム・シェアリング方式でメモリ５４を利用する。直接的には、メモリ制御装置５６がメモリ５４へのアクセスを制御及び管理する。
【００３２】
ＣＰＵ１４を含む各ブロックは、バス５８に接続し、バス５８を介して相互に通信することができる。ＣＰＵ１４は、各部の動作状態及び操作部１２による使用者の指示に応じて、各部を制御する。
【００３３】
操作部１２は複数の操作手段（キー、ボタン、スイッチ、ツマミ又はダイヤル等）１２ａ、１２ｂ、１２ｃ、１２ｄ、１２ｅ、１２ｆ、１２ｇ、１２ｈ、１２ｉ、１２ｊ、１２ｋ、１２ｌ、１２ｍからなる。
【００３４】
再生操作ボタン１２ａ、１２ｂ、１２ｃ、１２ｄは、再生時の再生操作に使用される。１２ａは巻き戻しボタン、１２ｂは早送りボタン、１２ｃは再生／一時停止ボタン、１２ｄは停止ボタンである。
【００３５】
ズームツマミ１２ｅにより、撮影レンズ１６の画角をワイド側又はテレ側に変化させるズーム操作をＣＰＵ１４に指示できる。静止画撮影ボタン１２ｆにより静止画記録をＣＰＵ１４に指示できる。静止画撮影ボタン１２ｆは、半押し操作と全押し操作が可能な２段階スイッチからなる。
【００３６】
メニューボタン１２ｇにより、メニュー表示のオン／オフ切替え等をＣＰＵ１４に指示できる。十字キー１２ｈにより、メニューの選択・決定等をＣＰＵ１４に指示できる。ホワイトバランス設定ボタン１２ｉにより、ＣＰＵ１４に撮影時のホワイトバランスの設定を指示できる。露出設定ボタン１２ｊにより、ＣＰＵ１４に撮影時の露出を設定できる。
【００３７】
電源ダイヤル１２ｋを回転操作することで、ＣＰＵ１４に電源オフ、撮影モード及び再生モードの何れかに切り替えを指示できる。
【００３８】
動画撮影ボタン１２ｌを押圧操作することで、ＣＰＵ１４に動画撮影のスタート／ストップを指示できる。
【００３９】
記録媒体切替えボタン１２ｍにより、記録先の記録媒体の切替え又は変更をＣＰＵ１４に指示できる。
【００４０】
図４は、本体１０に画像表示部３８を２軸回転可能に連結するヒンジ機構６０の斜視図を示す。ヒンジ機構６０は、実際の製品では、ヒンジカバーで隠蔽される。図５は、ヒンジ機構６０の分解斜視図である。
【００４１】
ヒンジ機構６０は、図４に示すように、本体取付け部６２，６４で本体１０の側壁に取り付けられ、その自由端側に画像表示部３８が取り付けられる。開閉支軸６６，６８は、画像表示部３８を本体１０に対して、図４のＹ軸を回転中心として開閉することを可能にする。開閉ストッパ７０，７２は、開閉支軸６６，６８による画像表示部３８の開きを９０度に規制する。固定カム７４が本体取付け部６２に固定される。可動カム７６に開閉支軸６６が挿入され、可動カム７６は、開閉支軸６６の軸方向に移動自在である。コイルバネ７８が、可動カム７６を固定カム７４の方向に常時付勢する。
【００４２】
表示取付け部８０に画像表示部３８が取り付けられる。表示取付け部８０に固定された画像表示部３８は、回動支軸８２を回転中心として、即ち、図４のＸ軸を回転中心として回動可能である。板バネ８４が、Ｘ軸を中心とする回動トルクを発生する。回動ストッパ８６は、回動支軸８２を中心とする画像表示部３８の回転を規制する。ベース板金８８は、開閉支軸６６，６８を固定し、回動支軸８２を回動自在に支持する。ヒンジ上カバー９０は、ヒンジ機構６０の外装カバーとしてヒンジ機構６０の上部を覆い、ヒンジ下カバー９２は、ヒンジ機構６０の下部を覆う。ヒンジ下カバー９２には、開閉検知スイッチ４０をオン又はオフさせる突起９２ａが設けられている。
【００４３】
図６、図７及び図８を参照して、画像表示部３８の開閉動作におけるヒンジ機構６０の動作を説明する。図６は、画像表示部３８が収納状態にあるときのヒンジ機構６０の側面図を示す。図７は、画像表示部３８が本体１０に対して４５度開いた状態での、ヒンジ機構６０の側面図を示す。図８は、画像表示部３８が本体１０に対して９０度開いた展開状態での、ヒンジ機構６０の側面図を示す。
【００４４】
図７に示すように、画像表示部３８が収納状態にあるとき、固定カム７４のカム面に可動カム７６の面が係合する。コイルバネ７８が、可動カム７６を固定カム７４に軸方向に圧接する。これにより、画像表示部３８を本体１０に密着する方向に付勢する回動力が作用し、画像表示部３８は、本体に１０に密接した状態に保持される。
【００４５】
画像表示部３８を展開状態（図８）にする場合、使用者は、図６に示す収納状態から、コイルバネ７８の付勢力に抗して、開閉軸（図４のＹ軸）を中心に画像表示部３８を回転させる。図７に示す位置まで画像表示部３８を開くと、固定カム７４のカム面と可動カム７６の面の係合が外れる。この係合が外れた状態から、更に画像表示部３８を開く方向に外力を作用させると、固定カム７４のカム面と可動カム７６の面が再度、係合する。その後、コイルバネ７８の付勢力により、画像表示部３８は、開閉ストッパ７０，７２によって規制される位置（図８に示す位置）まで自動的に開き、その位置に保持される。
【００４６】
逆に、画像表示部３８を展開状態（図８）から収納状態（図６）にする場合、使用者は、コイルバネ７８の付勢力に抗して、画像表示部３８を閉じる方向に外力を作用させる。固定カム７４のカム面と可動カム７６の面の画像表示部３８が開く方向の係合が外れる。画像表示部３８が閉じる方向の係合が始まる位置まで画像表示部３８を回動させると、コイルバネ７８の付勢力により、画像表示部３８が本体１０に密着する位置に付勢され、その位置に保持される。
【００４７】
図９は、ヒンジ機構６０と開閉検知スイッチ４０の位置関係を示す斜視図を示し、図１０は、その分解図と一部拡大図を示す。図１１は、収納状態でのヒンジ機構６０と側面図を示し、図１２は、展開状態でのヒンジ機構６０の側面図を示す。
【００４８】
図９に示すように、ヒンジ機構６０と開閉検知スイッチ４０は、本体１０の部品９４に取り付けられている。開閉検知スイッチ４０は、簡単なオン／オフスイッチからなり、突起９２ａが開閉検知スイッチ４０を押している場合と、突起９２ａが開閉検知スイッチ４０から離れている場合の２つの場合を識別する。突起９２ａの形状を変更することで、容易に開閉検知の角度を変更できる。突起９２ａは、ヒンジ下カバー９２の外形に対し、ヒンジ機構６０の開閉支軸６６，６８寄りの、ヒンジ機構６０に当たらない位置に設けられている。より一般的には、突起９２ａは、ヒンジ機構６０の回動軸方向の投影の中に配置される。
【００４９】
開閉検知スイッチ４０の位置は、突起９２ａの位置に従い、画像表示部３８の開閉検知に相応しい位置に自ずと定まる。突起９２ａが開閉支軸６６，６８寄りにあることによって、開閉検知スイッチ４０も、開閉支軸６６，６８寄りに設置できる。これによって、画像表示部３８の厚みｔ方向のスペースが、ヒンジカバーの厚みとスイッチの厚みを合わせた厚みより、開閉支軸６６，６８に寄った分だけ小さくなる。部品９４には、画像表示部３８が開いたときに、突起９２ａの軌跡を避けるような凹形状９４ａが設けられている。図示実施例では、開閉検知スイッチ４０は、ヒンジ上カバー９０とヒンジしたカバー９２の突起９２ａを除く側面と、ヒンジ機構６０の本体取付け部６２との間に設置されている。
【００５０】
開閉検知スイッチ４０はフレキシブル基板９６に実装されており、フレキシブル基板９６には、部品９４に対する位置決め部と取付け部が設けられている。本実施例では、フレキシブル基板９６を部品９４に対してセルフタッピングビスで固定する。固定部分をフレキシブル基板９６から、部品９４及びヒンジ機構６０という順に配置している。開閉検知スイッチ４０の実装されたフレキシブル基板９６の位置は、突起９２ａの位置に従い、画像表示部３８の開閉検知に相応しい位置に自ずと定まる。ヒンジ上カバー９０、ヒンジ下カバー９２と、フレキシブル基板９６の間の、ヒンジ機構６０のカムなどを避けた位置に、部品９４のフレキシブル基板９６の固定構造を配置する。これにより、部品９４のフレキシブル基板９６取付け部の厚み分だけ、小さくなる。
【００５１】
本実施例では、フレキシブル基板９６は、開閉検知スイッチ４０を囲むような形状をしている。これにより、部品９４に取り付けたフレキシブル基板９６は、開閉検知スイッチ４０よりもヒンジ下カバー９２に近づく。部品９４の、ヒンジ下カバー９２の開閉軌跡を避けた形状と、フレキシブル基板９６の取付け部は、斜めにつながっている。ヒンジ下カバー９２は、この斜めの部分を開閉時に避けるような形状をもちつつ、ヒンジ上カバーと滑らかにつながるような形状になっている。
【００５２】
このように、本実施例では、ヒンジ機構６０の本体取付け部６２とベース板金８８との間の、開閉支軸６６，６８周りのスペースに、開閉検知スイッチ４０及び開閉検知のための突起９２ａを設置する。この配置により、本体を小型化できる。また、突起９２ａの形状を変更することによって、開閉検知の角度を自由に変更できる。突起９２ａをヒンジ下カバー９２の側面の、ヒンジ下カバー９２の外形より開閉支軸６６，６８寄りから、ヒンジ機構６０の開閉支軸６６，６８方向に突出させている。これにより、画像表示部３８が開閉した場合にも、突起９２ａが外部から見えないようにでき、美しい外観を保てる。隙間が少ない構成となるため、本体への埃の進入を軽減でき、防塵性にも優れ、撮像装置の信頼性向上につながる。
【図面の簡単な説明】
【００５３】
【図１】本発明に係る撮像装置の一実施例であるビデオカメラの機能ブロック図を示す。
【図２】本実施例で、画像表示部を閉じた状態（収納状態又は収納位置）で、後方（撮影者側）左側から見た外観斜視図を示す。
【図３】本実施例で、画像表示部を開いた状態（展開状態又は展開位置）で、後方（撮影者側）左側から見た外観斜視図を示す。
【図４】本実施例のヒンジ機構の斜視図を示す。
【図５】本実施例のヒンジ機構の分解斜視図である。
【図６】本実施例の画像表示部が収納状態にあるときのヒンジ機構の側面図を示す。
【図７】本実施例の画像表示部が本体に対して４５度開いた状態での、ヒンジ機構の側面図を示す。
【図８】本実施例の画像表示部が本体に対して９０度開いた展開状態での、ヒンジ機構の側面図を示す。
【図９】本実施例のヒンジ機構と開閉検知スイッチの位置関係を示す斜視図である。
【図１０】本実施例のヒンジ機構と開閉検知スイッチの部分の分解図と一部拡大図を示す。
【図１１】本実施例の収納状態でのヒンジ機構の側面図を示す。
【図１２】本実施例の展開状態でのヒンジ機構６０の側面図を示す。
【図１３】従来の撮像装置で画像表示部１１２を本体１１０に対して開いた状態を示す図である。
【図１４】従来の撮像装置のヒンジカバー１１６の外観斜視図を示す。
【図１５】画像表示部１１２の開閉軸に垂直な面内の平面図であって、画像表示部１１２を閉じた状態を示す。
【図１６】画像表示部１１２の開閉軸に垂直な面内の平面図であって、画像表示部１１２を開いた状態を示す。
【図１７】別の従来例で、画像表示部２１２を本体２１０に対して開いた状態を示す。
【図１８】別の従来例で、ヒンジカバー２１４の外観斜視図を示す。
【図１９】別の従来例で、画像表示部２１２の開閉軸に垂直な面内の平面図であって、画像表示部２１２を閉じた状態を示す。
【図２０】別の従来例で、画像表示部２１２の開閉軸に垂直な面内の平面図であって、画像表示部２１２を開いた状態を示す。
【符号の説明】
【００５４】
１０：本体
１２：操作部
１２ａ：巻き戻しボタン
１２ｂ：早送りボタン
１２ｃ：再生／一時停止ボタン
１２ｄ：停止ボタン
１２ｅ：ズームツマミ
１２ｆ：静止画撮影ボタン
１２ｇ：メニューボタン
１２ｈ：十字キー
１２ｉ：ホワイトバランス設定ボタン
１２ｊ：露出設定ボタン
１２ｋ：電源ダイヤル
１２ｌ：動画撮影ボタン
１２ｍ：記録媒体切替えボタン
１４：ＣＰＵ
１６：撮影レンズ
１８：撮像素子
２０：カメラ信号処理装置
２２：音声信号処理装置
２４：マイクロフォン
２６：圧縮伸長装置
２８：記録再生処理装置
３０：内部メモリ
３２：メモリカード
３４：内部メモリ制御装置
３６：カード制御装置
３８：画像表示部
４０：開閉検知スイッチ
４２：デジタルインターフェース（Ｉ／Ｆ）
４４：外部装置
４６：入出力装置
４８：外部装置
５０：電源制御装置
５２：バッテリ
５４：メモリ
５６：メモリ制御装置
５８：バス
６０：ヒンジ機構
６２，６４：本体取付け部
６６，６８：開閉支軸
７０，７２：開閉ストッパ
７４：固定カム
７６：可動カム
７８：コイルバネ
８０：表示取付け部
８２：回動支軸
８４：板バネ
８６：回動ストッパ
８８：ベース板金
９０：ヒンジ上カバー
９２：ヒンジ下カバー
９２ａ：突起
９４：部品
９６：フレキシブル基板
１１０：本体
１１２：画像表示部
１１４：ヒンジ
１１６：ヒンジカバー
１１６ａ：突出部
１１８：開閉検知スイッチ
１２０：外装カバー
１２０ａ：切り欠き部
２１０：本体
２１２：画像表示部
２１４：ヒンジカバー
２１４ａ：円形部
２１６：外装カバー
２１８：開閉検知スイッチ
２２０：ヒンジ
２２０ａ：開閉支軸
【図１】
2009147857.tif 000003
【図２】
2009147857.tif 000004
【図３】
2009147857.tif 000005
【図４】
2009147857.tif 000006
【図５】
2009147857.tif 000007
【図６】
2009147857.tif 000008
【図７】
2009147857.tif 000009
【図８】
2009147857.tif 000010
【図９】
2009147857.tif 000011
【図１０】
2009147857.tif 000012
【図１１】
2009147857.tif 000013
【図１２】
2009147857.tif 000014
【図１３】
2009147857.tif 000015
【図１４】
2009147857.tif 000016
【図１５】
2009147857.tif 000017
【図１６】
2009147857.tif 000018
【図１７】
2009147857.tif 000019
【図１８】
2009147857.tif 000020
【図１９】
2009147857.tif 000021
【図２０】
2009147857.tif 000022